(57)【要約】【課題】本発明は、中身（内容物）を容易に注ぎ出すことが可能な簡易プラスチック容器を提供することを課題とする。【解決手段】本発明は、プラスチックフィルムの融着によって成形されるプラスチック容器において、内容物を収容可能な空間としての収容領域と；前記収容領域の外側において、前記内容物が収容されていない周辺領域とを備える。前記周辺領域には、長細いポケット空間が形成され、前記ポケット空間に硬質材料からなるスティックを挿入することにより持ち手が形成される。そして、前記持ち手の部分を把持して当該容器を傾けることで前記内容物を前記収容領域から注ぎ出すように構成されたことを特徴とする。【選択図】図１
2011230813.tif 000002
【特許請求の範囲】
【請求項１】
プラスチックフィルムの融着によって成形されるプラスチック容器において、
内容物を収容可能な空間としての収容領域と；
前記収容領域の外側において、前記内容物が収容されない周辺領域とを備え、
前記周辺領域には、長細いポケット空間が形成され、
前記ポケット空間に硬質材料からなるスティックを挿入することにより持ち手が形成され、
前記持ち手の部分を把持して当該容器を傾けることで前記内容物を前記収容領域から注ぎ出すように構成されたことを特徴とするプラスチック容器。
【請求項２】
前記ポケット空間は、上下方向に延びる直線状であることを特徴とする請求項１に記載のプラスチック容器。
【請求項３】
前記ポケット空間は、上端が前記収容領域に近づくように傾いていることを特徴とする請求項２に記載のプラスチック容器。
【請求項４】
前記収容領域及び前記ポケット空間の上端部が予め開放されていることを特徴とする請求項１乃至３の何れか１項に記載のプラスチック容器。
【請求項５】
前記収容領域及び前記ポケット空間の上端部は、未使用状態においては封止され、使用前に上端部を切り取ることによって容器を構成することを特徴とする請求項１乃至３の何れか１項に記載のプラスチック容器。
【請求項６】
前記収容領域には予め所定の内容物が収容されていることを特徴とする請求項５に記載のプラスチック容器。
【請求項７】
前記収容領域の上端の一部には、前記内容物を注ぎ出すための注ぎ口が形成されていることを特徴とする請求項１乃至６の何れか１項に記載のプラスチック容器。
【請求項８】
前記容器は水差しであることを特徴とする請求項１乃至７の何れか１項に記載のプラスチック容器。
【請求項９】
請求項１に記載のプラスチック容器に使用される持ち手用の前記スティック。
【請求項１０】
アクリル材料から成形されることを特徴とする請求項９に記載のスティック。
【請求項１１】
請求項１に記載のプラスチック容器及び、請求項９に記載のスティックを備えたプラスチック容器セット。
【発明の詳細な説明】
【技術分野】
【０００１】
本発明は、プラスチックフィルムを用いて製造される容器に関する。
【背景技術】
【０００２】
現在、詰め替え用洗剤等の分野においてプラスチックフィルムを用いた容器が普及している。また、プラスチックフィル製の花瓶が、特許文献１に開示されている。このようなプラスチックフィル製の容器は、軽量、持ち運びが容易、壊れにくい、廃棄が容易等のメリットがある。
【０００３】
しかしながら、従来のプラスチックフィルム製の容器は、軽量且つ柔軟である反面、中身の液体を他の容器に移し替えるような時に、容器をつかむと容器自体が変形して、斜めに傾けて中身を注ぎ出すのが困難であった。
【先行技術文献】
【特許文献】
【０００４】
【特許文献１】特開２００５−２７０１８６号公報
【発明の概要】
【発明が解決しようとする課題】
【０００５】
本発明は、上記のような状況に鑑みてなされたものであり、中身（内容物）を容易に注ぎ出すことが可能なプラスチック容器を提供することを目的とする。
【課題を解決するための手段】
【０００６】
上記課題を解決するために、本発明は、プラスチックフィルムの融着によって成形されるプラスチック容器において、内容物を収容可能な空間としての収容領域と；前記収容領域の外側において、前記内容物が収容されない周辺領域とを備える。前記周辺領域には、長細いポケット空間が形成され、前記ポケット空間に硬質材料からなるスティックを挿入することにより持ち手が形成される。そして、前記持ち手の部分を把持して当該容器を傾けることで前記内容物を前記収容領域から注ぎ出すように構成されたことを特徴とする。
【発明の効果】
【０００７】
本発明によれば、アクリル棒等の硬質部材からなるスティックによってその部分の剛性が高まり、斜めに傾けて中身を注ぎ出すのが容易となる。すなわち、簡素な構成でありながら、中身（内容物）を容易に注ぎ出すことが可能となる。
【図面の簡単な説明】
【０００８】
【図１】図１は、本発明の第１実施例に係るプラスチック容器の構造を示す平面図である。
【図２】図２は、図１に示すプラスチック容器に使用されるスティックを示す平面図である。
【図３】図３は、図１に示すプラスチック容器及び図２に示すスティックの使用（組み立て）状態を示す平面図である。
【図４】図４は、図１に示すプラスチック容器及び図２に示すスティックの（組み立て）使用状態を示す平面図である。
【図５】図５（Ａ），（Ｂ）は、図１〜図４に示すに示すプラスチック容器セットの実際の使用例を示す斜視図である。
【図６】図６は、本発明の第２実施例に係るプラスチック容器の構造を示す平面図である。
【図７】図７は、図６に示すプラスチック容器の使用方法を示す平面図である。
【図８】図８は、本発明の第３実施例に係るプラスチック容器の構造を示す平面図である。
【図９】図９は、本発明の第４実施例に係るプラスチック容器の構造を示す平面図である。
【図１０】図１０は、本発明の第５実施例に係るプラスチック容器の構造を示す平面図である。
【図１１】図１１は、本発明の第６実施例に係るプラスチック容器の構造を示す平面図である。
【発明を実施するための形態】
【０００９】
（本発明の用途）
本発明に係るプラスチック容器は、花瓶、水差し（デキャンタ、ピッチャー）、洗剤容器、医療容器（点滴液容器）、調味料容器、飲料容器（水、ジュース、牛乳、ワイン、ビール等）、農業園芸用品の容器（肥料、薬品、種、用土）、ペットフード容器、食品容器（米、インスタントコーヒー粉末、シリアル、豆など）、じょうろ、キャンプ用水タンク等に適用することができる。
【００１０】
（内容物の形態）
本発明に係るプラスチック容器１００に収容される内容物（中身）の形態としては、液体（水、化粧料、調味料、塗料、絵の具）、粒状（食品、ペットフード）、顆粒状（薬品、肥料）、ジェル状（化粧料、接着剤）などがある。
【００１１】
以下、本発明のプラスチック容器として「水差し」を例にとって詳細に説明する。図１は、本発明の第１実施例に係るプラスチック容器１００の構造を示す平面図である。図２は、図１に示すプラスチック容器１００に使用されるスティック１０８を示す平面図である。本実施例に係るプラスチック容器１００は、プラスチックフィルムの融着によって成形される水差しであり、内容物（１１０）を収容可能な空間としての収容領域１０２と；収容領域１０２の外側において、内容物（１１０）が収容されない周辺領域１０４とを備える。
【００１２】
周辺領域１０４には、垂直から若干斜めに傾いた方向に延びる長細いポケット空間１０６が形成され、ポケット空間１０６にはアクリル棒等の硬質材料からなるスティック１０８を挿入することにより持ち手が形成される。そして、持ち手の部分（１０６，１０８）を把持して当該容器１００を傾けることで内容物（１１０）を収容領域１０２の上端１０２ａから注ぎ出すように構成されている。ポケット空間１０６は、上端が収容領域１０２に近づくように（注ぎ出す方向に）傾けることにより、持ち手（１０６，１０８）を把持して容器１００を容易に傾けることが可能となっているが、垂直方向に延びる場合でも持ち手として使用することができる。
【００１３】
本実施例に係る容器１００と同様の形態の容器は、水差し（デキャンタ、ピッチャー）の他に、花瓶、水差し、じょうろ、キャンプ用水タンク等に適している。
【００１４】
本実施例の容器１００を形成するプラスチックフィルムとしては、所謂スタンディングパウチに一般的に使用される材料を採用することができる。例えば、高圧法低密度ポリエチレン（ＨＰ−ＬＤＰＥ）、直鎖状低密度ポリエチレ（ＬＬＤＰＥ）、直鎖状超低密度ポリエチレ（ＶＬＤＰＥ）、メタロセン触媒によるポリエチレン（ＭＣＡＴ−ＰＥ）、高密度ポリエチレン（ＨＤＰＥ）、エチレン−酢酸ビニル共重合体（ＥＶＡ）、エチレン−エチルアクリレート共重合体（ＥＥＡ）、エチレン−アクリル酸共重合体（ＥＡＡ）、アイオノマー、エチレン−ビニルアルコール共重合体（ＥＶＯＨ）、ポリプロピレン（ＰＰ）、ナイロン（Ｎｙ）、ポリイミド（ＰＩＭ）、ポリエステル（ＰＥＴ）、ポリカーボネート（ＰＣ）等の単層フィルム、又はそれらから選択された多層フィルムを用いることができる。また、これらの単層フィルム、多層フィルムは、延伸されていても良く、例えば、２軸延伸ポリアミドフィルム（ＯＰＡ）、２軸延伸ポリエステルフィルム（ＯＰＥＴ）、２軸延伸ポリプロピレンフィルム（ＯＰＰ）等を用いることができる。
【００１５】
図１に示すように、本実施例に係る容器１００は全体としては概ね矩形に成形されており、収容領域１０２は自立可能となるように底部分が湾曲した花瓶のような形状となっている。収容領域１０２の上端部１０２ａは予め開放されており、注ぎ口となる角部は丸く（Ｒを付けて）成形されている。これによって、内容物１００が溢れにくく安定して注ぎ出すことが可能となる。なお、収容領域１０２の形状は図１の形状に限定されず用途に応じて適宜変更可能であることは言うまでもない。
【００１６】
周辺領域１０４は、２枚のプラスチックフィルムを融着することによって成形されるものでる。ポケット空間１０６は、図２に示すスティック１０８を挿入する部分であり、上端部１０６ａが予め開放された状態で成形されている。ポケット空間１０６の大きさは、スティック１０８がスムーズに挿入されるように余裕をもって設定される。なお、周辺領域１０４のうちポケット空間１０６が形成され部分の強度（剛性）を高めるように、プラスチックフィルムの厚さを変える等の方策を講じることができる。
【００１７】
スティック１０８としては、硬質、軽量且つ加工が容易なアクリル棒を採用することが好ましい。更に、アクリル棒は色を付けたり、模様を付けたりするのが容易であるというメリットもある。スティック１０８としては、アクリル棒の他にアルミニウム等の金属製又は木製の棒、中空パイプを使用することができる。重要なのは、収容領域１０４に内容物１１０を入れた状態で、持ち手部分（１０６，１０８）をつかんだときに安定していることであり、同様の機能・効果が得られれば他の材質を採用することも可能である。本実施例においては、容易に挿入できるようにスティック１０８の下端（挿入方向先端）１０８ｂを滑らかな半球状としている。
【００１８】
図３及び図４は、プラスチック容器１００及びスティック１０８の使用（組み立て）状態を示す平面図である。先ず、図３に示すように、ポケット空間１０６にスティック１０８を挿入する。その後、収容領域１０２の内部に水等の内容物１１０を入れた状態を図４に示す。図４は平面図であるため分かりにくいが、実際には収容領域１０２の底部分が広がって自立可能な形状（スタンディングパウチ状）となる。
【００１９】
内容物１１０の入った容器１００を持ち運ぶ際には、図５（Ａ）に示すようにスティック１０８が挿入された部分を把持する。更に、容器１００に入った内容物１１０を注ぎ出す場合には、図５（Ｂ）に示すように、持ち手部分（１０６，１０８）を把持して容器１００を傾ける。本実施例においては、硬質のスティック１０８を軟質の容器本体の一部に挿入しているため、スティック１０８が挿入された部分の剛性が高くなり、容器１００を安定して持ち、内容物１１０を容易に注ぎ出すことが可能となる。
【００２０】
図６は、本発明の第２実施例に係るプラスチック容器２００の構造を示す平面図である。図７は、図６に示すプラスチック容器２００の使用方法を示す平面図である。本実施例においては、収容領域２０２及びポケット空間２０６の上端部２０２ａ，２０６ａは、未使用状態においては封止されている。そして、図７に示すように、使用前に切取線２１２から上端部を切り取ることによって容器とする。収容領域２０２には予め所定の内容物２１０を収容することができる。
【００２１】
ポケット空間２０６には図示しないスティック（１０８）が挿入される。なお、基本的な構造については上述した第１実施例と同様であるため、重複した説明は省略する。本実施例のような構造は、例えば、洗剤容器（詰替用を含む）、医療容器（点滴液容器）、調味料容器（詰替用を含む）、飲料容器（水、ジュース、牛乳、ワイン、ビール等）、農業園芸用品の容器（肥料、薬品、種、用土）、ペットフード容器、食品容器（米、インスタントコーヒー粉末、シリアル、豆など）等に適している。本実施例のように、容器の上端を切り裂いて使用する場合には、周知のチャック機構を採用して、再使用（再密封）可能な構成とすることもできる。
【００２２】
図８は、本発明の第３実施例に係るプラスチック容器３００の構造を示す平面図である。本実施例の容器は、収容領域３０２の部分に目盛り３３０が形成されている他は、上述した第１実施例の容器１００と同じ構造である。なお、容器の上端部を予め封止した第２実施例の構造を本実施例に適用することもできる。図８において、符号３０６はポケット空間、３０６ａはポケット空間３０６の上端部、３０４は周辺領域、３０２ａは収容領域の上端部を示す。
【００２３】
図９は、本発明の第４実施例に係るプラスチック容器４００の構造を示す平面図である。本実施例は、上述した第１実施例の容器１００の途中に複数の切取線４３０を形成し、何れかの切取線４３０で上部を切り取って容量（大きさ）のことなる容器を成形可能となっている。その他の構造は第１実施例と同じである。なお、本実施例においては、切り取る位置に応じて、異なる長さのスティック（１０８）を使用することが好ましい。図９において、符号４０６はポケット空間、４０６ａはポケット空間４０６の上端部、４０４は周辺領域、４０２は収容領域、４０２ａは収容領域４０２の上端部を示す。
【００２４】
図１０は、本発明の第５実施例に係るプラスチック容器５００の構造を示す平面図である。本実施例は、上述した第２実施例（図６）の容器２００のアレンジと言える。本実施例においては、ポケット空間５０６の中に予めスティック５０８が挿入されており、抜き差しできないように構成されている。このような構成を採用することにより、スティック５０８の色によって内容物５１０を容易に識別（判別）することができる。特に、薬剤等を収容する医療用途に適している。その他の構造は第１、第２実施例と同じである。なお、図１０において、符号５０４は周辺領域、５０２は収容領域、５０２ａは収容領域５０２の上端部、５１２は切取線を示す。
【００２５】
図１１は、本発明の第６実施例に係るプラスチック容器６００の構造を示す平面図である。本実施例は、上述した第１実施例の容器１００のアレンジと言える。本実施例においては、上述した第５実施例と同様に、ポケット空間６０６の中に予めスティック６０８が挿入されており、抜き差しできないように構成されている。このような構成を採用することにより、スティック６０８の色によって収容する内容物を容易に識別することができる。その他の構造は第１、第２実施例と同じである。なお、図１１において、符号６０４は周辺領域、６０２は収容領域、６０２ａは収容領域６０２の上端部を示す。
【００２６】
以上本発明の実施例について説明したが、本発明は上記実施例に限定されるものではなく、特許請求の範囲に記載された技術的思想を逸脱しない範囲で種々の設計変更等が可能である。
【００２７】
例えば、スティック１０８としては、色のついたアクリル棒を使用することにより、持ち手を認識しやすくなる。また、異なる複数のアクリル棒を選択して使用することで、内容物の分類分けをすることも可能となる。また、専用のスティック１０８を紛失したような場合には、代わりにボールペン、木の枝等を代用することも可能である。更に、スティック１０８として棒状の温度計を使用することによって、内容物１１０の温度を管理することもできる。
【図１】
2011230813.tif 000003
【図２】
2011230813.tif 000004
【図３】
2011230813.tif 000005
【図４】
2011230813.tif 000006
【図５】
2011230813.tif 000007
【図６】
2011230813.tif 000008
【図７】
2011230813.tif 000009
【図８】
2011230813.tif 000010
【図９】
2011230813.tif 000011
【図１０】
2011230813.tif 000012
【図１１】
2011230813.tif 000013